(57)【要約】【課題】トレイとしても機能するカートンを提供する。【解決手段】  カートンは、底面部１０と側面部２０と天面部４０と、側部２０を一周するよう設けられる帯部２５と、帯部に対応する位置に設けられ外側に張り出すように折り畳み可能な把持部３０と、天面部の各容器頂部に対応する位置にそれぞれ設けられ仮想軸４３に対し回動可能な容器保持部４４と、を備える。帯部２５を切取ラインに沿って撤去し、把持部３０を露出させ外側に張り出す様に折り畳み、天面部４０および側面部２０上部を下方移動させ、容器保持部４４を各容器頂部に当接させ、さらに、仮想軸４３周りに回動させ、回動に伴う弾性力により容器を保持させる。これにより、容器を保持しつつ、容器を取出し可能とする。また、把持部３０を把持することにより、運搬可能である。【選択図】図１
2020193004.tif 000002
【特許請求の範囲】
【請求項１】
複数の配列された容器を収納するカートンであって、
底面部と、前記底面部から立設される側面部と、前記側面部が形成する開口を塞ぐ天面部とを備え、更に、
前記側面部を一周する２本の切取ラインの間に形成される帯部と、
前記側面部内側の帯部に対応する位置に設けられ、前記側面部上部および前記側面部下部に固定され、外側に張り出すように折り畳み可能な把持部と、
前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部と
を備えることを特徴とするカートン。
【請求項２】
前記帯部は、切取ラインに沿って撤去可能に形成され、
前記把持部は、前記帯部の撤去に伴い露出され、外側に張り出す様に折り畳まれ、把持可能に形成され、
前記天面部および前記側面部上部は、前記把持部の折り畳みに伴い下方移動可能に形成され、
前記容器保持部は、前記天面部の下方移動に伴い各容器頂部に当接し、さらに、前記仮想軸周りに回動し、回動に伴う弾性力により容器を保持可能に形成されている
ことを特徴とする請求項１記載のカートン。
【請求項３】
前記把持部は、
把持上部と把持下部と、
前記把持上部に設けられる把持上部取手孔と、前記把持下部に設けられる把持下部取手孔と、いずれかの取手孔に対応して設けられる返し部と、
を有し、
前記把持上部と前記把持下部とは折線を介して重なり合い、前記把持上部取手孔と前記把持下部部取手孔とは一致し、
前記返し部は、いずれかの取手孔を通過して折り返され、前記把持上部と前記把持下部とを一体化するよう形成されている
ことを特徴とする請求項１または２記載のカートン。
【請求項４】
複数の配列された容器を収納し、
底面部と、前記底面部から立設される側面部と、前記側面部が形成する開口を塞ぐ天面部と、
前記側面部を一周する２本の切取ラインの間に形成される帯部と、
前記側面部内側の帯部に対応する位置に設けられ、前記側面部上部および前記側面部下部に固定され、外側に張り出すように折り畳み可能な把持部と、
前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部と
を備えるカートンの使用方法であって、
前記帯部を切取ラインに沿って撤去し、
前記帯部の撤去に伴い前記把持部を露出させ、前記把持部を外側に張り出す様に折り畳み、把持可能に形成し、
前記把持部の折り畳みに伴い前記天面部および前記側面部上部を下方移動させ、
前記天面部の下方移動に伴い前記容器保持部を各容器頂部に当接させ、さらに、前記仮想軸周りに回動させ、回動に伴う弾性力により容器を保持させ、
容器を保持しつつ、容器を取出し可能とする
ことを特徴とするカートンの使用方法。
【請求項５】
複数の配列された容器を収納するカートンであって、
底面部と、前記底面部から立設される側面部と、前記側面部が形成する開口を塞ぐ天面部とを備え、さらに、
前記側面部中央に設けられ、前記側面部上部および前記側面部下部に連続し、外側に張り出すように折り畳み可能な把持部と、
前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部と
を備えることを特徴とするカートン。
【発明の詳細な説明】
【技術分野】
【０００１】
本発明は、トレイとしても使用可能なカートンに関する。
【背景技術】
【０００２】
一般に飲料用容器（例えばペットボトル飲料）や瓶や缶などは、紙製カートンに収容された状態で流通搬送され、小売店においてカートンが開封され、陳列ケースに移されることが多い。
【０００３】
一方で、イベント会場では、カートンを開封した取り出し可能な状態で、飲料用容器を提供することもある。しかしながら、一般的なカートンは、開封状態での運搬を想定していない。また、飲料用容器を取り出しにくい。さらに、いくつかの飲料用容器を取り出すと、残りの飲料用容器の保持が不充分となり、倒れたりするおそれもある。
【０００４】
ところで、特許文献１では、瓶保持機構を有する上部閉塞パネルと、側面に設けられたハンドル孔とを備えたカートンが提案されている。
【０００５】
特許文献１に開示のカートンを用いれば、イベント会場にて、飲料用容器を取り出し可能な状態で運搬することができる。また、トレイとして機能し、飲料用容器を取り出しやすい。さらに、いくつかの飲料用容器を取り出しても、残りの飲料用容器の保持性は確保されている。
【先行技術文献】
【特許文献】
【０００６】
【特許文献１】特開2007-532436号公報
【発明の概要】
【発明が解決しようとする課題】
【０００７】
上述の通り、特許文献１に開示のカートンは、イベント会場での飲料用容器提供に適用可能である。一方で、カートン本来の機能、すなわち、流通搬送時の収納性能が劣る。例えば、流通搬送時に積み重ねることは想定されていない。また、トレイとしての機能にも若干改善の余地がある。例えば、カートン偶部の飲料用容器は、アクセス方向によっては、やや取り出しにくい。言い換えると、カートン機能もトレイ機能も不充分である。
【０００８】
本発明は、上記課題を解決するものであり、流通搬送時にはカートン本来の機能を発揮しつつ、イベント会場での飲料用容器提供時にはトレイとして機能することを目的とする。
【課題を解決するための手段】
【０００９】
上記の目的を達成するために、本発明のカートンは、複数の配列された容器を収納し、底面部と、前記底面部から立設される側面部と、前記側面部が形成する開口を塞ぐ天面部とを備え、更に、前記側面部を一周する２本の切取ラインの間に形成される帯部と、前記側面部内側の帯部に対応する位置に設けられ、前記側面部上部および前記側面部下部に固定され、外側に張り出すように折り畳み可能な把持部と、前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部とを備える。
【００１０】
これにより、流通搬送時にはカートン状態において積み重ね可能等カートン本来の機能を発揮しうる。
【００１１】
好ましくは、前記帯部は、切取ラインに沿って撤去可能に形成され、前記把持部は、前記帯部の撤去に伴い露出され、外側に張り出す様に折り畳まれ、把持可能に形成され、前記天面部および前記側面部上部は、前記把持部の折り畳みに伴い下方移動可能に形成され、前記容器保持部は、前記天面部の下方移動に伴い各容器頂部に当接し、さらに、前記仮想軸周りに回動し、回動に伴う弾性力により容器を保持可能に形成されている。
【００１２】
これにより、イベント会場での飲料用容器提供時にはトレイ状態にて、飲料用容器を保持しつつ、飲料用容器を容易に取出し可能とする。
【００１３】
さらに好ましくは、前記把持部は、把持上部と把持下部と、前記把持上部に設けられる把持上部取手孔と、前記把持下部に設けられる把持下部取手孔と、いずれかの取手孔に対応して設けられる返し部と、を有し、前記把持上部と前記把持下部とは折線を介して重なり合い、前記把持上部取手孔と前記把持下部部取手孔とは一致し、前記返し部は、いずれかの取手孔を通過して折り返され、前記把持上部と前記把持下部とを一体化するよう形成されている。
【００１４】
これにより、返し部が把持部の板バネ機能（天面部等が上方に戻ろうとする弾性機能）を抑制し、容器保持部の保持機能（回動に対し元の面に戻ろうとする弾性機能に基づき容器を押さえつける）を維持する。また、安全性も向上する。
【００１５】
上記の目的を達成するための本発明はカートンの使用方法である。カートンは、複数の配列された容器を収納し、底面部と、前記底面部から立設される側面部と、前記側面部が形成する開口を塞ぐ天面部と、前記側面部を一周する２本の切取ラインの間に形成される帯部と、前記側面部内側の帯部に対応する位置に設けられ、前記側面部上部および前記側面部下部に固定され、外側に張り出すように折り畳み可能な把持部と、前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部とを備える。前記帯部を切取ラインに沿って撤去し、前記帯部の撤去に伴い前記把持部を露出させ、前記把持部を外側に張り出す様に折り畳み、把持可能に形成し、前記把持部の折り畳みに伴い前記天面部および前記側面部上部を下方移動させ、前記天面部の下方移動に伴い前記容器保持部を各容器頂部に当接させ、さらに、前記仮想軸周りに回動させ、回動に伴う弾性力により容器を保持させ、容器を保持しつつ、容器を取出し可能とする。
【００１６】
これにより、カートンからトレイへ形状が変化する。カートンとしての機能とトレイとしての機能の両方を確実に発揮し得る。
【００１７】
上記の目的を達成するために、本発明のカートンは、複数の配列された容器を収納し、底面部と、前記底面部から立設される側面部と、前記側面部が形成する開口を塞ぐ天面部とを備え、さらに、前記側面部中央に設けられ、前記側面部上部および前記側面部下部に連続し、外側に張り出すように折り畳み可能な把持部と、前記天面部の各容器頂部に対応する位置にそれぞれ設けられ、前記天面部の各容器頂部に対応する位置を中心に放射状に切り込まれて形成され、切り込み末端間を結ぶ仮想軸に対し回動可能な容器保持部とを備える。
【００１８】
容器剛性による補填を期待できれば、帯部等を不要とでき、さらに簡素な構成とすることができる。
【発明の効果】
【００１９】
本発明は、流通搬送時にはカートン本来の機能を発揮しつつ、イベント会場での飲料用容器提供時にはトレイとして機能する。
【図面の簡単な説明】
【００２０】
【図１】本実施形態のカートン状態
【図２】本実施形態のブランク展開図
【図３】詳細構成図（把持部）
【図４】詳細構成図（容器保持部）
【図５】本実施形態の動作説明図（帯部撤去）
【図６】本実施形態の動作説明図（把持部形成）
【図７】本実施形態のトレイ状態
【図８】変形例１（帯部なし）
【図９】変形例２（容器首下当接によるバネ機能抑制）
【図１０】変形例３（円筒状）
【図１１】変形例４（切込例）
【図１２】変形例５（広義の放射状）
【図１３】変形例６（模様付加）
【発明を実施するための形態】
【００２１】
〜カートン構成〜
本実施形態の構成について説明する。図１は、本実施形態に係るカートンの概略構成図である。図２は、本実施形態のブランク展開図である。
【００２２】
カートンは、複数の配列された飲料用容器を収納する。カートンは基本構成として、底面部１０と側面部２０と天面部４０とを備える。
【００２３】
更に、特徴的構成として、側面部２０に帯部２５および把持部３０と、天面部４０に容器保持部４４とを備える。
【００２４】
カートンは、ブランク５０と４つのブランク６０とが折られ、組み合わされて、構成されている。ブランクは例えば紙製である。
【００２５】
ブランク５０において、２つの長手側面部２１と、２つの短手側面部２２とが帯状に連設されて、側面部２０が形成されている。帯状の一端部には糊付部が設けられている。帯状を環状とすることにより、カートン状態において、側面部２０が形成される。
【００２６】
ブランク５０において、底面部１０は４分割され、４つのパーツが、それぞれ、長手側面部２１，２１、短手側面部２２，２２と連設されている。４つのパーツが組み合わされることにより、カートン状態において、底面部１０が形成される。
【００２７】
ブランク５０において、天面部４０は、一つの長手側面部２１と連設されている。長手側面部２１と連設される辺以外の天面部４０各辺には、３つの差込フラップが設けられている。側面部２０が形成する開口を塞ぐように、差込フラップが差し込まれ、カートン状態において、天面部４０が形成される。
【００２８】
側面部２０には、側面部２０を一周する２本の切取ライン２３，２４（たとえばミシン目）が設けられている。切取ライン２３，２４の間には、帯部２５が形成されている。なお、帯部２５の端部には糊付部が設けられていない。
【００２９】
側面部２０は、帯部２５を介して、側面部上部２６と側面部下部２７とに分けられる。
【００３０】
４つのブランク６０は、把持部３０となる。４つのブランク６０のうち、２つは長手側面部２１，２１に対応し、２つは短手側面部２２，２２に対応する。
【００３１】
図３は把持部３０に係る詳細構成図である。把持部３０は、把持上部３１と、把持下部３２と、上部固定部３７と、下部固定部３８とを有している。ブランク６０において、把持上部３１、把持下部３２、上部固定部３７、下部固定部３８は一枚の平面状に形成されている。把持上部３１と把持下部３２との間に折線３３が設けられ、把持上部３１と上部固定部３７との間に折線が設けられ、把持下部３２と下部固定部３８との間に折線が設けられている。これらの折線により、把持部３０は折り畳み可能である。
【００３２】
把持上部３１略中央には、長手方向長孔である把持上部取手孔３４が設けられている。把持下部３２略中央には、長手方向長孔である把持下部取手孔３５が設けられている。ブランク６０において、把持下部取手孔３５を塞ぐように返し部３６が設けられている。返し部３６の一部は把持下部３２本体と連設されている。返し部３６と把持下部３２本体との間に折線が設けられている。
【００３３】
カートン状態において、上部固定部３７は側面部上部２６内側に固定（例えば糊着）されて、下部固定部３８は側面部下部２７内側に固定されている。その結果、把持部３０の主要部３１，３２は帯部２５内側に位置している。
【００３４】
図４は容器保持部４４に係る詳細構成図である。天面部４０には、容器保持部４４が飲料用容器頂部に対応する位置にそれぞれ設けられている。飲料用容器頂部に対応する位置を中心点４１とし、放射状に切込ライン４２が設けられている。図示の例は、８方向に切込ライン４２が延びている。８つの切込ライン４２の末端を結ぶと仮想正方形が形成される。これにより、８つ三角形パーツからなる容器保持部４４が形成される。
【００３５】
〜カートン形成〜
ブランク５０において、帯状の側面部２０を環状とし、端部を固定（例えば糊着）する。ただし、帯部２５端部は固定しない（自由端）。
【００３６】
さらに、４分割されているパーツを組み合わせて底面部１０を形成する。これにより、基本的な箱状が形成され、複数の飲料用容器を配列状態（例えば４×３）にて収納する。
【００３７】
飲料用容器収納後、天面部４０により箱開口を塞ぎ、カートンを形成する。
【００３８】
カートン状態において、天面部４０はフラットであり、積み重ね可能である。なお、上側のカートンの自重は上側の底面部１０および下側の天面部４０を介して、飲料用容器頂部（キャップ）に伝達され、さらに飲料用容器を介して、下側の底面部１０に伝達される。これにより、流通搬送時にはカートン本来の機能を発揮する。
【００３９】
なお、カートン状態において、把持部３０は折り畳まれず、帯部２５に対向するように位置する。
【００４０】
〜トレイとしての使用〜
本実施形態のカートンは、形状変化により、トレイとしての使用可能であることを特徴とする。図５〜図７を用いて、カートンからトレイへの形状変化について説明する。
【００４１】
例えば、イベント会場において、飲料用容器はカートン状態（図１参照）にて搬入される。
【００４２】
図５は帯部撤去に係る動作説明図である。側面部２０のうち、帯部２５端部は固定されていない。したがって、帯部２５端部を掴んで、切取ライン２３，２４に沿って帯部２５撤去する。帯部撤去に伴い、把持部３０が露出される。
【００４３】
図６は把持部形成に係る動作説明図である。把持部３０は折線３３を含む３本の折線を有している。したがって、把持部３０を外側に張り出すように折り畳む。
【００４４】
折線３３を介して、把持上部３１と把持下部３２とは重なり合う。また、把持上部取手孔３４と把持下部部取手孔３５とは一致する。さらに、返し部３６を下側から押し上げ、把持上部取手孔３４を通過させて、把持上部３１を巻き込むように折り返す。これにより、把持上部３１と把持下部３２とを一体化させる。これにより、把持部３０が形成される。
【００４５】
ところで、帯部撤去に伴い、側面部上部２６と側面部下部２７とは分断される。さらに、把持部折り畳みに伴い天面部４０および側面部上部２６は下方移動する。
【００４６】
なお、把持上部３１と把持下部３２とはブランク状態では同一平面にあり、折り畳み後は板バネとして機能する。したがって、把持上部３１と把持下部３２との一体化が難しい。また、その結果、天面部４０（および容器保持部４４）は上方に戻ろうとする。これに対し、返し部３６を把持上部３１に係止させることにより、把持部３０の板バネ機能を抑制し、把持上部３１と把持下部３２との一体化を確実にする。その結果、天面部４０（および容器保持部４４）が上方に戻ろうとするのを抑制する。
【００４７】
天面部下方移動に伴い飲料用容器頂部（キャップ）は天面部４０に当接し、さらに、天面部４０を押し上げようとする。切込ライン４２末端を結ぶ線に仮想軸４３が形成されている。天面部押し上げに伴い、容器保持部４４は飲料用容器側面と当接されながら、仮想軸４３周りに回動する。
【００４８】
容器保持部４４はブランク状態では天面部４０と同一平面にあり、回動後は板バネとして機能する（弾性機能）。すなわち、元の面に戻ろうと、飲料用容器側面を斜め上から押さえつける。これにより、飲料用容器は確実に保持される。
【００４９】
図７はトレイの概略構成図である。以上の動作を経てカートンの形状を変化させてトレイを形成する。
【００５０】
把持上部取手孔３４と把持下部部取手孔３５とは一つの取手孔を形成し、取手孔を把持することにより、イベント会場にてトレイを運搬することができる。
【００５１】
その際、返し部３６端面が運搬者の指に当接する。すなわち、切断面が運搬者の指に当接して指を傷つけることはなく、安全である。
【００５２】
各飲料用容器は容器保持部４４に保持されながら、各飲料用容器上部は露出している。その結果、いずれの飲料用容器もいずれの方向からアクセス容易であり、容器保持部４４の保持力に対抗して飲料用容器を上方に持ち上げることにより、飲料用容器を容易に取り出すことができる。
【００５３】
また、把持部３０の板バネ機能は一部残っており、容器保持部４４の保持力を一時的に緩和するように作用する。この点でも、取り出し容易である。
【００５４】
いくつかの飲料用容器を取り出しても、残りの飲料用容器の保持性は確保されている。飲料用容器が転倒するおそれはない。
【００５５】
以上のように、イベント会場ではトレイとして機能し、イベント参加者に飲料用容器を提供できる。
【００５６】
〜まとめ〜
本実施形態のカートンは、形状変化により、トレイとしても使用可能であることを特徴とする。すなわち、流通搬送時にはカートン本来の機能を発揮する。一方で、イベント会場での飲料用容器提供時にはトレイとして機能する。このように、適用場面に応じて、カートンとしての機能とトレイとしての機能の両方を確実に発揮し得る。
【００５７】
〜変形例〜
本発明は，上記実施形態に限定されるものではなく、本願技術思想の範囲で種々の変形が可能である。以下、いくつかの変形例について説明する。
【００５８】
図８は、変形例１に係るカートンの概略構成図である。上記実施形態が帯部２５を必須の構成とするのに対し、変形例１は帯部２５を有しなくともよい。
【００５９】
すなわち、基本構成として、底面部１０と側面部２０と天面部４０とを備え、特徴的構成として、把持部３０と、容器保持部４４とを備える。
【００６０】
カートン状態において、飲料用容器が収納されていれば、飲料用容器の剛性がカートン上下方向の剛性を補填することができる。すなわち、カートン積み重ね状態において、飲料用容器頂部が天面部４０を挿通することはない。上側のカートンの自重は、飲料用容器を介して、下側のカートンに伝達される。
【００６１】
変形例１において、カートンからトレイへの変形動作やトレイとしての使用方法については、上記実施形態と同様である。
【００６２】
なお、上記実施形態では、把持部３０をブランク５０と異なるブランク６０より構成したが、変形例１では、把持部３０をブランク５０の一部としてよい。その結果、ブランク６０および上部固定部３７と下部固定部３８も不要である。
【００６３】
上記実施形態も充分簡素な構成であるが、変形例１は更に簡素な構成とすることができる。
【００６４】
図９は、変形例２に係るトレイの部分構成図である。説明の便宜の為、関連構成以外の図示を省略している。上記実施形態では、返し部３６が把持部３０の板バネ機能を抑制し、容器保持部４４の保持機能を維持するのに対し、変形例２は返し部３６を有しなくともよい。
【００６５】
返し部３６がないと、把持部３０の板バネ機能（弾性機能）により、天面部４０（および容器保持部４４）は上方に戻ろうとするが、容器保持部４４の頂部が飲料用容器首下（キャップ下部）に当接される。飲料用容器の自重により、把持部３０の板バネ機能は抑制され、容器保持部４４の保持機能も維持される。
【００６６】
図１０は、変形例３に係るカートンの概略構成図である。一般的なカートンは、流通搬送時の利便性の観点から、平面視矩形であることが多い。したがって、上記実施形態は平面視矩形であることを前提とする。これに対し、変形例３は平面視円形（円筒状）とする。
【００６７】
変形例３は、基本構成として、底面部１０と側面部２０と天面部４０とを備え、特徴的構成として、帯部２５と、把持部３０と、容器保持部４４とを備える点で、上記実施形態と共通する。したがって、変形例３も上記実施形態と同様な効果を有する。
【００６８】
本発明の特徴は、カートンとしての機能とトレイとしての機能の両方を確実に発揮することである。イベント会場にてトレイとして使用する場合、平面視円形のほうがイベント参加者の美観に適う場合もある。
【００６９】
図１１は、変形例４にかかるカートンの部分構成図である。上記実施形態では、中心点４１から８つの切込ライン４２が放射状に均等に伸びることにより容器保持部４４が形成されるのに対し、変形例５では、中心点４１から４つの切込ライン４２が放射状に伸び、切込ライン４２間に補助切込が設けられている。
【００７０】
図１２Ａおよび図１２Ｂは、変形例５にかかるカートンの部分構成図である。上記実施形態では、中心点４１から８つの切込ライン４２が放射状に直線的に伸びることにより容器保持部４４が形成されるのに対し、変形例５では曲線状に放射している。また、容器保持部４４を構成するパーツの数は複数であれば限定されず、容器保持部４４の外形も矩形でも円形でもよい。変形例５にかかる容器保持部４４も飲料用容器を適切に保持できる。
【００７１】
図１３は、変形例６に係るカートンの概略構成図である。本発明では、カートンからトレイへ形状が変化する。カートン状態では側面部２０に無秩序な模様が付されているが、トレイに変形すると側面分上部２６と側面部下部２７が上下につながり、意味のある文字が浮かび上がる様にしてもよい。イベント会場にてトレイとして使用する場合、イベント参加者の美観に訴えることができる。
【００７２】
上記実施形態では、カートンの収納対象例として飲料用容器を挙げたが、本発明を瓶や缶などの収納にも適用できる。
【符号の説明】
【００７３】
１０  底面部
２０  側面部
２１  長手側面部
２２  短手側面部
２３，２４  切取ライン
２５  帯部
２６  側面部上部
２７  側面部下部
３０  把持部
３１  把持上部
３２  把持下部
３３  折線
３４  把持上部取手孔
３５  把持下部取手孔
３６  返し部
３７  上部固定部
３８  下部固定部
４０  天面部
４１  中心点
４２  切込ライン
４３  仮想軸
４４  容器保持部
５０  ブランク
６０  ブランク
【図１】
2020193004.tif 000003
【図２】
2020193004.tif 000004
【図３】
2020193004.tif 000005
【図４】
2020193004.tif 000006
【図５】
2020193004.tif 000007
【図６】
2020193004.tif 000008
【図７】
2020193004.tif 000009
【図８】
2020193004.tif 000010
【図９】
2020193004.tif 000011
【図１０】
2020193004.tif 000012
【図１１】
2020193004.tif 000013
【図１２】
2020193004.tif 000014
【図１３】
2020193004.tif 000015